(57)【要約】【課題】太陽光発電で発電された電力が蓄積される電源装置同士で電力をやりとりできるようにする。【解決手段】第１の電源装置１２−１と接続されたソーラーパネル１４により発電される電力を第１の電源装置１２−１が備える蓄電部１６に蓄積する。ソーラーパネル１４により発電された電力を蓄積する蓄電部１６を備えた第２の電源装置１２−１から供給される電力を第１の電源装置１２−１が備える蓄電部１６に蓄積する。第１の電源装置１２−１が備える蓄電部１６に蓄積された電力を外部に供給する。【選択図】図１
2012257400.tif 000002
【特許請求の範囲】
【請求項１】
外部に電力を供給する複数の電源装置を含む電源システムであって、
前記複数の電源装置のうちの１つである特定電源装置が備える蓄電部には、当該特定電源装置と接続されたソーラーパネルにより発電される電力、及び、当該特定電源装置とは異なる前記電源装置である供給元電源装置と接続されたソーラーパネルにより発電され、前記供給元電源装置が備える蓄電部に蓄積され、前記供給元電源装置が備える蓄電部から供給される電力、が蓄積される、
ことを特徴とする電源システム。
【請求項２】
前記複数の電源装置のそれぞれは、ソーラーパネルと、蓄電部と、を備え、
前記複数の電源装置のうちの１つである特定電源装置が備える蓄電部には、当該特定電源装置が備えるソーラーパネルにより発電される電力、及び、当該特定電源装置とは異なる前記電源装置である供給元電源装置が備えるソーラーパネルにより発電され、前記供給元電源装置が備える蓄電部に蓄積され、前記供給元電源装置が備える蓄電部から供給される電力、が蓄積される、
ことを特徴とする請求項１に記載の電源システム。
【請求項３】
前記特定電源装置が備える蓄電部には、当該特定電源装置が外部装置に電力を供給するよりも前に当該外部装置に蓄電部に蓄積された電力の一部を供給した前記供給元電源装置が備える蓄電部から供給される、前記供給元電源装置から前記外部装置に供給されずに残った電力が蓄積される、
ことを特徴とする請求項１又は２に記載の電源システム。
【請求項４】
請求項１から３のいずれか一項に記載の電源システムに含まれる電源装置。
【請求項５】
第１の電源装置と接続されたソーラーパネルにより発電される電力を前記第１の電源装置が備える蓄電部に蓄積する発電電力蓄積工程と、
ソーラーパネルにより発電された電力を蓄積する蓄電部を備えた第２の電源装置から供給される電力を前記第１の電源装置が備える蓄電部に蓄積する供給電力蓄積工程と、
前記発電電力蓄積工程及び前記供給電力蓄積工程で前記第１の電源装置が備える蓄電部に蓄積された電力を外部に供給する供給工程と、
を含むことを特徴とする電力供給方法。
【請求項６】
前記供給電力蓄積工程では、外部に供給されずに前記第２の電源装置が備える蓄電部に残った電力を前記第１の電源装置が備える蓄電部に蓄積する、
ことを特徴とする請求項５に記載の電力供給方法。
【請求項７】
前記供給電力蓄積工程の後に、前記第２の電源装置と接続されたソーラーパネルにより発電された電力を前記第２の電源装置が備える蓄電部に蓄積する工程と、
前記第２の電源装置と接続されたソーラーパネルにより発電された電力が前記第２の電源装置が備える蓄電部に蓄積された後に、外部に供給されずに前記第１の電源装置が備える蓄電部に残った電力を前記第２の電源装置が備える蓄電部に蓄積する工程と、
前記第２の電源装置が備える蓄電部に蓄積された電力を外部に供給する工程と、をさらに含む、
ことを特徴とする請求項６に記載の電力供給方法。
【請求項８】
前記供給工程では、前記第２の電源装置が備える蓄電部に蓄積された電力の一部が供給された外部装置に対して、前記第２の電源装置による外部装置への電力の供給の後に、前記第１の電源装置が備える蓄電部に蓄積された電力の供給を行う、
ことを特徴とする請求項６又は７に記載の電力供給方法。
【請求項９】
ソーラーパネルにより発電される電力の蓄電部への蓄積は、屋外で行われ、
蓄電部に蓄積された電力の外部への供給は、屋内で行われ、
ソーラーパネルにより発電される電力の蓄電部への蓄積が行われた電源装置を、屋外から屋内に移動する工程、をさらに含む、
ことを特徴とする請求項５から８のいずれか一項に記載の電力供給方法。
【発明の詳細な説明】
【技術分野】
【０００１】
本発明は、電源システム、電源装置及び電力供給方法に関する。
【背景技術】
【０００２】
近年、太陽光を用いた発電に関する技術が注目されている。太陽光を用いた発電に関する技術として、特許文献１には、昼間に太陽電池の発電電力を電機二重層コンデンサに蓄え、夜間にその電機二重層コンデンサを電源としてＬＥＤ等を点灯させる夜間給電装置が開示されている。
【先行技術文献】
【特許文献】
【０００３】
【特許文献１】特開２００２−０５８１７７号公報
【発明の概要】
【発明が解決しようとする課題】
【０００４】
太陽光発電で発電された電力が蓄積される電源装置によって一定量の電力を舞台装置等に供給しようとした際に、１台の電源装置に充分な電力が蓄積されない場合には、複数台の電源装置が必要となる。しかし、電源装置を配置するスペースが限られている場合には、舞台装置等に電力を供給する電源装置の数はなるべく少ない方がよい。
【０００５】
本発明は上記課題に鑑みてなされたものであって、その目的の１つは、太陽光発電で発電された電力が蓄積される電源装置同士で電力をやりとりできるようにすることにある。
【課題を解決するための手段】
【０００６】
上記課題を解決するために、本発明に係る電源システムは、外部に電力を供給する複数の電源装置を含む電源システムであって、前記複数の電源装置のうちの１つである特定電源装置が備える蓄電部には、当該特定電源装置と接続されたソーラーパネルにより発電される電力、及び、当該特定電源装置とは異なる前記電源装置である供給元電源装置と接続されたソーラーパネルにより発電され、前記供給元電源装置が備える蓄電部に蓄積され、前記供給元電源装置が備える蓄電部から供給される電力、が蓄積されることを特徴とする。
【０００７】
また、本発明に係る電力供給方法は、第１の電源装置と接続されたソーラーパネルにより発電される電力を前記第１の電源装置が備える蓄電部に蓄積する発電電力蓄積工程と、ソーラーパネルにより発電された電力を蓄積する蓄電部を備えた第２の電源装置から供給される電力を前記第１の電源装置が備える蓄電部に蓄積する供給電力蓄積工程と、前記発電電力蓄積工程及び前記供給電力蓄積工程で前記第１の電源装置が備える蓄電部に蓄積された電力を外部に供給する供給工程と、を含むことを特徴とする。
【０００８】
また、本発明に係る電源装置は、上記の電源システムに含まれる電源装置である。
【０００９】
本発明によれば、特定の電源装置と接続されたソーラーパネルにより発電される電力、及び、電力の供給元である電源装置と接続されたソーラーパネルにより発電され、その電源装置が備える蓄電部に蓄積され、その電源装置が備える蓄電部から供給される電力、が特定の電源装置が備える蓄電部に蓄積されるので、太陽光発電で発電された電力が蓄積される電源装置同士で電力をやりとりできることとなる。
【００１０】
本発明の一態様では、前記複数の電源装置のそれぞれは、ソーラーパネルと、蓄電部と、を備え、前記複数の電源装置のうちの１つである特定電源装置が備える蓄電部には、当該特定電源装置が備えるソーラーパネルにより発電される電力、及び、当該特定電源装置とは異なる前記電源装置である供給元電源装置が備えるソーラーパネルにより発電され、前記供給元電源装置が備える蓄電部に蓄積され、前記供給元電源装置が備える蓄電部から供給される電力、が蓄積されることを特徴とする。
【００１１】
また、本発明の一態様では、前記特定電源装置が備える蓄電部には、当該特定電源装置が外部装置に電力を供給するよりも前に当該外部装置に蓄電部に蓄積された電力の一部を供給した前記供給元電源装置が備える蓄電部から供給される、前記供給元電源装置から前記外部装置に供給されずに残った電力が蓄積されることを特徴とする。
【００１２】
また、本発明の一態様では、前記供給電力蓄積工程では、外部に供給されずに前記第２の電源装置が備える蓄電部に残った電力を前記第１の電源装置が備える蓄電部に蓄積することを特徴とする。
【００１３】
また、本発明の一態様では、前記供給電力蓄積工程の後に、前記第２の電源装置と接続されたソーラーパネルにより発電された電力を前記第２の電源装置が備える蓄電部に蓄積する工程と、前記第２の電源装置と接続されたソーラーパネルにより発電された電力が前記第２の電源装置が備える蓄電部に蓄積された後に、外部に供給されずに前記第１の電源装置が備える蓄電部に残った電力を前記第２の電源装置が備える蓄電部に蓄積する工程と、前記第２の電源装置が備える蓄電部に蓄積された電力を外部に供給する工程と、をさらに含む、ことを特徴とする。
【００１４】
また、本発明の一態様では、前記供給工程では、前記第２の電源装置が備える蓄電部に蓄積された電力の一部が供給された外部装置に対して、前記第２の電源装置による外部装置への電力の供給の後に、前記第１の電源装置が備える蓄電部に蓄積された電力の供給を行うことを特徴とする。
【００１５】
また、本発明の一態様では、ソーラーパネルにより発電される電力の蓄電部への蓄積は、屋外で行われ、蓄電部に蓄積された電力の外部への供給は、屋内で行われ、ソーラーパネルにより発電される電力の蓄電部への蓄積が行われた電源装置を、屋外から屋内に移動する工程、をさらに含むことを特徴とする。
【図面の簡単な説明】
【００１６】
【図１】本発明の一実施形態に係る電源システムの概略的な構成の一例を示す図である。
【図２】本発明の一実施形態に係る電源システムを利用して舞台装置に電力を供給する工程の一例を示すフロー図である。
【発明を実施するための形態】
【００１７】
以下、本発明の一実施形態について図面に基づき詳細に説明する。
【００１８】
図１は、本発明の一実施形態に係る電源システム１０の概略的な構成の一例を示す図である。本実施形態に係る電源システム１０は、連結可能な複数台の電源装置１２（１２−１、１２−２、・・・、１２−ｎ）から構成されている。また、本実施形態に係る電源装置１２は、複数枚のソーラーパネル１４、蓄電部１６、インバータ１８、充電器２０、バッテリモニタ２２、ソーラーパネルコネクタ２４、差込プラグ２６、プラグ受け２８、を備えている。また、本実施形態に係る電源装置１２には、これらの他に、蓄電部１６と外部との間で電力のやりとりを行うか否かを制御するためのスイッチ類が設けられている。
【００１９】
本実施形態に係るソーラーパネル１４は、受光面を任意の方向に向けて設置することができるようになっている。また、本実施形態に係るソーラーパネル１４は、比較的軽量で容易に持ち運ぶことができるようになっている。
【００２０】
また、本実施形態に係る１台の電源装置１２に含まれる、蓄電部１６、インバータ１８、充電器２０、バッテリモニタ２２、ソーラーパネルコネクタ２４、差込プラグ２６、プラグ受け２８、は１台のバッテリラック３０にコンパクトに搭載されている。また、本実施形態に係るバッテリラック３０は、接地面にキャスターなどの車輪が設けられており、容易に移動させることができるようになっている。
【００２１】
本実施形態では、１台の電源装置１２に含まれる複数のソーラーパネル１４のそれぞれに接続された配線は集線された上で、ソーラーパネルコネクタ２４を介して蓄電部１６と電気的に接続される。そして、本実施形態では、ソーラーパネル１４で発電された直流電力が蓄電部１６に蓄積されるようになっている。また、本実施形態では、ソーラーパネル１４が、ソーラーパネルコネクタ２４を介してバッテリラック３０に対して挿抜可能に接続されており、ソーラーパネル１４とバッテリラック３０との接続や、ソーラーパネル１４のバッテリラック３０からの分離を、容易に行うことができるようになっている。
【００２２】
本実施形態に係る電源装置１２では、蓄電部１６とプラグ受け２８とがインバータ１８を経由して電気的に接続されている。そして、電源装置１２が備えるプラグ受け２８に電力の供給先となる装置の差込プラグ２６が差し込まれ、通電用のスイッチがＯＮにされると、蓄電部１６に蓄積された直流電力が、インバータ１８により交流電力に変換された上で、プラグ受け２８を介して接続された装置に供給される。
【００２３】
また、本実施形態では、蓄電部１６と差込プラグ２６とが充電器２０を介して電気的に接続されている。そして、電源装置１２が備える差込プラグ２６が電力の供給元となる装置のプラグ受け２８に差し込まれ、通電用のスイッチがＯＮにされると、外部の装置から供給される交流電力が、充電器２０により直流電力に変換された上で、蓄電部１６に蓄積される。
【００２４】
また、本実施形態に係る電源装置１２では、ソーラーパネル１４により発電された電力の蓄電部１６への蓄積を行いながら、外部の装置から差込プラグ２６を介して供給される電力の蓄電部１６への蓄積を行うことができるようになっている。
【００２５】
本実施形態では、特定の電源装置（例えば、第１の電源装置１２−１）のプラグ受け２８に、別の電源装置（例えば、第２の電源装置１２−２）の差込プラグ２６が差し込まれ、通電用のスイッチがＯＮにされると、第１の電源装置１２−１が備える蓄電部１６に蓄積された電力が、第２の電源装置１２−２が備える蓄電部１６に供給される。また、本実施形態に係るバッテリラック３０では、プラグ受け２８が設けられている面の反対面に差込プラグ２６が設けられているので３台以上の電源装置１２を容易に連結することができる。また、本実施形態では、差込プラグ２６とプラグ受け２８とは接地面からの高さがほぼ同じになっている。なお、ソーラーパネルコネクタ２４も差込プラグ２６やプラグ受け２８接地面からの高さがほぼ同じになるようにしてもよい。
【００２６】
また、本実施形態に係るバッテリモニタ２２には、蓄電部１６に蓄積されている電力量や、蓄電部１６に蓄積されている電力量の蓄電部１６の容量に対する割合が数値で表示されるディスプレイが備えられており、利用者は蓄電部１６に蓄積されている電力量を外部から知ることができるようになっている。
【００２７】
本実施形態に係る電源システム１０を利用すると、例えば、コンサート等の舞台芸術で用いられる、照明設備等の舞台装置が使用する電力の少なくとも一部を、太陽光発電により発電された電力によりまかなうことができることとなる。
【００２８】
ここで、本実施形態に係る電源システム１０を利用して、夜間に開催されるコンサートで使用される照明設備等の舞台装置に、数日間にわたって、電力を供給する工程の一例を、図２に示すフロー図を参照しながら説明する。
【００２９】
まず、コンサートが開催前の準備期間に、屋外に設けられた充電場所に第１の電源装置１２−１が配置され、第１の電源装置１２−１のソーラーパネル１４で発電される電力の第１の電源装置１２−１が備える蓄電部１６への蓄積が行われる（Ｓ１０１）。ここでは、数日間にわたって、第１の電源装置１２−１が備える蓄電部１６への電力の蓄積が行われ、第１の電源装置１２−１が備える蓄電部１６には、容量の１００％の電力量が蓄積されることとする。
【００３０】
そして、第１の電源装置１２−１のソーラーパネル１４が、第１の電源装置１２のバッテリラック３０から分離される（Ｓ１０２）。そして、第１の電源装置１２−１のバッテリラック３０が充電場所からコンサート会場に移動される（Ｓ１０３）。本実施形態では、コンサート会場は屋内であることとする。
【００３１】
そして、第１の電源装置１２−１からコンサートでの照明設備等への電力供給を可能とするためのセッティングが行われる（Ｓ１０４）。照明設備等が備える差込プラグ２６が、第１の電源装置１２−１のプラグ受け２８に差し込まれ、通電用のスイッチがＯＮにされることで、第１の電源装置１２−１が備える蓄電部１６に蓄積された電力が照明設備等の舞台装置に供給されることとなる。
【００３２】
Ｓ１０２〜Ｓ１０４に示す工程と並行して、第２の電源装置１２−２が充電場所に配置され、昼間に、第２の電源装置１２−２が備えるソーラーパネル１４で発電される電力の第２の電源装置１２−２が備える蓄電部１６への蓄積が行われる（Ｓ１０５）。ここでは、第２の電源装置１２−２が備える蓄電部１６には、容量の７０％の電力量が蓄積されることとする。
【００３３】
そして、夜間に開催されるコンサートにおいて、第１の電源装置１２−１の電力が照明設備等に供給される（Ｓ１０６）。ここでは、第１の電源装置１２−１が備える蓄電部１６の容量の７０％の電力が消費され、第１の電源装置１２−１が備える蓄電部１６には、容量の３０％の電力量が残ることとする。Ｓ１０６の工程と並行して、コンサートが終了するまでの間に、第２の電源装置１２−２のソーラーパネル１４が、第２の電源装置１２のバッテリラック３０から分離された上で（Ｓ１０７）、第２の電源装置１２−２のバッテリラック３０が充電場所からコンサート会場に移動される（Ｓ１０８）。
【００３４】
そして、コンサートの終了後に、第２の電源装置１２−２が備える差込プラグ２６が、第１の電源装置１２−１が備えるプラグ受け２８に差し込まれ、通電用のスイッチがＯＮにされることで、第１の電源装置１２−１が備える蓄電部１６から、第２の電源装置１２−２が備える蓄電部１６への電力供給が行われる（Ｓ１０９）。これにより、第１の電源装置１２−１が備える蓄電部１６に蓄積された電力量がなくなり、第２の電源装置１２−２が備える蓄電部１６には、容量の１００％の電力量が蓄積されることとなる。
【００３５】
その後、第１の電源装置１２−１のバッテリラック３０が、コンサート会場から充電場所に移動される（Ｓ１１０）。そして、第１の電源装置１２−１のソーラーパネル１４が第１の電源装置１２−１のバッテリラック３０に接続される（Ｓ１１１）。そして、Ｓ１０６の工程におけるコンサートが開催された日の翌日の昼間に、第１の電源装置１２−１が備えるソーラーパネル１４で発電される電力の第１の電源装置１２−１が備える蓄電部１６への蓄積が行われる（Ｓ１１２）。ここでは、第１の電源装置１２−１が備える蓄電部１６には、容量の７０％の電力量が充電されることとする。そして、Ｓ１１０〜Ｓ１１２に示す工程と並行して、第２の電源装置１２−２から照明設備等への電力供給を可能とするためのセッティングが行われる（Ｓ１１３）。
【００３６】
そして、同日の夜間に開催されるコンサートにおいて、第２の電源装置１２−２の電力が照明設備等に供給される（Ｓ１１４）。ここでは、第２の電源装置１２−２が備える蓄電部１６の容量の７０％の電力が消費され、第２の電源装置１２−２が備える蓄電部１６には、容量の３０％の電力量が残ることとする。Ｓ１１４の工程と並行して、コンサートが終了するまでの間に、第１の電源装置１２−１のソーラーパネル１４が、第１の電源装置１２のバッテリラック３０から分離され（Ｓ１１５）、第１の電源装置１２−１のバッテリラック３０が充電場所からコンサート会場に移動される（Ｓ１１６）。
【００３７】
そして、コンサートの終了後に、第１の電源装置１２−１が備える差込プラグ２６が、第２の電源装置１２−２が備えるプラグ受け２８に差し込まれ、通電用のスイッチがＯＮにされることで、第２の電源装置１２−２が備える蓄電部１６から、第１の電源装置１２−１が備える蓄電部１６への電力供給が行われる（Ｓ１１７）。これにより、第２の電源装置１２−２が備える蓄電部１６に蓄積された電力量がなくなり、第１の電源装置１２−１が備える蓄電部１６には、容量の１００％の電力量が蓄積されることとなる。
【００３８】
その後、第２の電源装置１２−２のバッテリラック３０が、コンサート会場から充電場所に移動される（Ｓ１１８）。そして、第２の電源装置１２−２のソーラーパネル１４が第２の電源装置１２−２のバッテリラック３０に接続される（Ｓ１１９）。そして、Ｓ１１４の工程におけるコンサートが開催された日の翌日の昼間に、第２の電源装置１２−２が備えるソーラーパネル１４で発電される電力の第２の電源装置１２−２が備える蓄電部１６への蓄積が行われる（Ｓ１２０）。ここでは、第２の電源装置１２−２が備える蓄電部１６には、容量の７０％の電力量が充電されることとする。そして、Ｓ１１８〜Ｓ１２０に示す工程と並行して、第１の電源装置１２−１から照明設備等への電力供給を可能とするためのセッティングが行われる（Ｓ１２１）。
【００３９】
以下、Ｓ１０６〜Ｓ１２１の工程と同様の工程を繰り返して、数日間にわたるコンサートで使用される舞台装置への本実施形態に係る電源システム１０による電力供給が行われることとなる。
【００４０】
なお、上述の工程例では、電源装置１２に接続されたソーラーパネル１４による蓄電部１６への電力の蓄積が行われた後に、その電源装置１２に対して他の電源装置１２からの追加の電力供給が行われているが、電源装置１２に対して他の電源装置１２からの電力供給が行われた後に、その電源装置１２に接続されたソーラーパネル１４による蓄電部１６への電力の追加が行われるようにしても構わない。
【００４１】
本実施形態に係る１台の電源装置１２に含まれる蓄電部１６には、１２ボルトの鉛蓄電池６個が含まれている。なお、蓄電部１６に含まれる蓄電池の種類は限定されず、例えば、蓄電部１６には、リチウムイオン二次電池が含まれていても構わない。そして、蓄電部１６では、２個の蓄電池が直列に接続されたユニットが３系統並列に接続されている。よって、本実施形態に係る蓄電部１６の電圧は２４ボルトとなる。また、本実施形態では、それぞれの蓄電池の容量は１５０アンペア時である。よって、蓄電部１６全体の容量を１００ボルト換算すると、１０８アンペア時となる。すなわち、蓄電部１６全体に蓄積可能な電力量は、１０．８キロワット時となる。そして、蓄電部１６に蓄積された電力は、インバータ１８を経由して、１００ボルトの交流電力として外部に供給される。
【００４２】
また、本実施形態では、電源装置１２から舞台装置等への電力供給の際の、単位時間あたりの供給電力量よりも、電源装置１２から他の電源装置１２への電力供給の際の、単位時間あたりの供給電力量の方が小さい。また、本実施形態では、電源装置１２から舞台装置等への１回の電力供給の時間よりも、電源装置１２から他の電源装置１２への１回の電力供給の時間の方が長い。インバータ１８の効率や、本実施形態に係る電源システム１０をコンサート等で５時間程度安定した電力を出力する際に用いることを考慮すると、本実施形態に係る１台の電源装置１２で、コンサート等の舞台芸術で用いられる装置などのような大電力が必要な装置に対して安定して利用可能である電力量は、蓄電部１６全体の容量の７５％である約８．０キロワット時程度である。そして、残りの２．０キロワット時強の電力量は、長時間の小電力出力による、他の電源装置１２の蓄電部１６への供給に用いられる。このように、本実施形態に係る電源システム１０では、電源装置１２によって、大電力が必要な装置に対する電力供給が行われた後に、その電源装置１２の残りの電力が他の電源装置１２に提供されるので、太陽光発電で得られた電力を有効に活用することができる。
【００４３】
また、本実施形態に係る１枚のソーラーパネル１４の発電容量は、１９０ワットであり、１台の電源装置１２には１０枚のソーラーパネル１４が接続される。よって、最大１．９キロワットの発電電力によって、ソーラーパネル１４からバッテリラック３０の蓄電部１６への電力供給が行われる。晴天時には、最大能力の８０％の発電電力が見込めるため、１日中晴天が続くと、１台の電源装置１２の蓄電部１６を満充電するのに必要な電力をまかなえるものと思われる。
【００４４】
しかし、曇っている場合など、１日の充電では、１台の電源装置１２の蓄電部１６が満充電されないことが考えられる。このような場面において、本実施形態に係る電源システム１０では、上述のように、前日のコンサートで使用した他の電源装置１２からの電力供給を受けることや、複数台の電源装置１２によって、ソーラーパネル１４による発電を同時並行で行った上で、ソーラーパネル１４によって発電され、蓄電部１６に蓄積された電力を、１台の電源装置１２の蓄電部１６に集約させることによって、１台の電源装置１２の蓄電部１６を満充電させることが可能になる。
【００４５】
なお、本発明は上述の実施形態に限定されるものではない。
【００４６】
また、例えば、１台の電源装置１２が複数の充電器２０を備えるなどして、１台の電源装置１２が、複数台の電源装置１２それぞれの蓄電部１６からの電力供給を並行して受けることができるようにしてもよい。
【００４７】
また、複数枚のソーラーパネル１４から構成される一組のソーラーパネル１４が、対応付けられる電源装置１２専用のソーラーパネル１４として使用されるようにしてもよい。あるいは、一組のソーラーパネル１４が、接続される電源装置１２を適宜変えて使用されるようにしても構わない。
【００４８】
また、ソーラーパネル１４がバッテリラック３０に搭載されており、ソーラーパネル１４がバッテリラック３０に挿抜可能でなくてもよい。そして、バッテリラック３０がソーラーパネル１４ごと移動されるようにしてもよい。また、ソーラーパネル１４による発電を行うにあたって、最大電力点追従制御（ＭＰＰＴ制御）を行うようにしてもよい。
【００４９】
また、上記の具体的な数値は例示であり、これらの数値には限定されない。
【符号の説明】
【００５０】
１０  電源システム、１２  電源装置、１４  ソーラーパネル、１６  蓄電部、１８  インバータ、２０  充電器、２２  バッテリモニタ、２４  ソーラーパネルコネクタ、２６  差込プラグ、２８  プラグ受け、３０  バッテリラック。
【図１】
2012257400.tif 000003
【図２】
2012257400.tif 000004
【手続補正書】
【提出日】平成23年10月18日(2011.10.18)
【手続補正１】
【補正対象書類名】特許請求の範囲
【補正対象項目名】全文
【補正方法】変更
【補正の内容】
【特許請求の範囲】
【請求項１】
複数回開催される舞台芸術で使用される舞台装置に電力を供給する複数の電源装置を含む電源システムであって、
前記複数の電源装置のそれぞれは、ソーラーパネルにより発電される電力を蓄積する蓄電部を備え、
前記複数回のうちのいずれかの開催である第１の舞台芸術の開催における、前記複数の電源装置のうちのいずれかである第１の電源装置から前記舞台装置への電力供給を可能とするためのセッティングと並行して、前記複数の電源装置のうちのいずれかであり前記第１の電源装置とは異なる電源装置である第２の電源装置が備える蓄電部へのソーラーパネルにより発電される電力の蓄積が行われ、
前記第１の舞台芸術の開催で、前記第１の電源装置は、当該第１の電源装置が備える蓄電部に蓄積された電力の一部を前記舞台装置に供給し、
前記第１の舞台芸術の開催の終了後から、当該第１の舞台芸術の開催よりも後の開催である第２の舞台芸術の開催の開始までの間に、前記第１の電源装置は、当該第１の電源装置が備える蓄電部に残った電力を、前記第２の電源装置が備える蓄電部に供給し、
前記第２の舞台芸術の開催における、前記第２の電源装置から前記舞台装置への電力供給を可能とするためのセッティングと並行して、前記第１の電源装置が備える蓄電部へのソーラーパネルにより発電される電力の蓄積が行われ、
前記第２の舞台芸術の開催で、前記第２の電源装置は、当該第２の電源装置が備える蓄電部に蓄積された電力の一部を前記舞台装置に供給し、
前記第２の舞台芸術の開催の終了後から、当該第２の舞台芸術の開催よりも後の開催である第３の舞台芸術の開催の開始までの間に、前記第２の電源装置は、当該第２の電源装置が備える蓄電部に残った電力を、前記第１の電源装置が備える蓄電部に供給し、
前記第３の舞台芸術の開催で、前記第１の電源装置は、当該第１の電源装置が備える蓄電部に蓄積された電力の一部を前記舞台装置に供給する、
ことを特徴とする電源システム。
【請求項２】
前記複数の電源装置のそれぞれは、ソーラーパネルをさらに備える、
ことを特徴とする請求項１に記載の電源システム。
【請求項３】
請求項１又は２に記載の電源システムに含まれる電源装置。
【請求項４】
複数回開催される舞台芸術で使用される舞台装置に電力を供給する複数の電源装置を含む電源システムを用いた電力供給方法であって、
前記複数の電源装置のそれぞれは、ソーラーパネルにより発電される電力を蓄積する蓄電部を備え、
前記複数回のうちのいずれかの開催である第１の舞台芸術の開催における、前記複数の電源装置のうちのいずれかである第１の電源装置から前記舞台装置への電力供給を可能とするためのセッティングと並行して、前記複数の電源装置のうちのいずれかであり前記第１の電源装置とは異なる電源装置である第２の電源装置が備える蓄電部にソーラーパネルが発電する電力を蓄積する工程と、
前記第１の舞台芸術の開催で、前記第１の電源装置が、当該第１の電源装置が備える蓄電部に蓄積された電力の一部を前記舞台装置に供給する工程と、
前記第１の舞台芸術の開催の終了後から、当該第１の舞台芸術の開催よりも後の開催である第２の舞台芸術の開催の開始までの間に、前記第１の電源装置が、当該第１の電源装置が備える蓄電部に残った電力を、前記第２の電源装置が備える蓄電部に供給する工程と、
前記第２の舞台芸術の開催における、前記第２の電源装置から前記舞台装置への電力供給を可能とするためのセッティングと並行して、前記第１の電源装置が備える蓄電部にソーラーパネルが発電する電力を蓄積する工程と、
前記第２の舞台芸術の開催で、前記第２の電源装置が、当該第２の電源装置が備える蓄電部に蓄積された電力の一部を前記舞台装置に供給する工程と、
前記第２の舞台芸術の開催の終了後から、当該第２の舞台芸術の開催よりも後の開催である第３の舞台芸術の開催の開始までの間に、前記第２の電源装置が、当該第２の電源装置が備える蓄電部に残った電力を、前記第１の電源装置が備える蓄電部に供給する工程と、
前記第３の舞台芸術の開催で、前記第１の電源装置が、当該第１の電源装置が備える蓄電部に蓄積された電力の一部を前記舞台装置に供給する工程と、
を含むことを特徴とする電力供給方法。
【請求項５】
ソーラーパネルにより発電される電力の蓄電部への蓄積は、屋外で行われ、
蓄電部に蓄積された電力の前記舞台装置への供給は、屋内で行われ、
ソーラーパネルにより発電される電力の蓄電部への蓄積が行われた電源装置を、屋外か
ら屋内に移動する工程、をさらに含む、
ことを特徴とする請求項４に記載の電力供給方法。